(57)【要約】【課題】枠体とＬＥＤ照明ユニットとの間の隙間に設備プレートを配置しなくても、この隙間から天井裏は見えないようにすることが可能なＬＥＤ照明装置を提供する。【解決手段】システム天井の向かい合う一対のＴバーの間に取り付けられる器具本体２と、器具本体２に収容されるＬＥＤ照明ユニット３と、を備える。器具本体２は、ＬＥＤ照明ユニット３を支持するための支持板１０と、支持板１０の縁部に設けられた第１〜第４の側板とを有し、支持板１０には通気用の貫通穴が設けられている。ＬＥＤ照明ユニット３は、ＬＥＤ基板と、ＬＥＤ基板の周囲に配置された枠体５０と、を有する。枠体５０は、内側面と外側面とを含む。ＬＥＤ照明ユニット２を支持する支持面に対する内側面の角度と、支持面に対する外側面の角度は互いに異なる。【選択図】図３
2017027792.tif 000002
【特許請求の範囲】
【請求項１】
複数本のＴバーのうち少なくとも一部が互いに平行に配置されて構成されるシステム天井の、向かい合う一対の前記Ｔバーの間に取り付けられ、ＬＥＤ照明ユニットを収容するための器具本体と、
前記器具本体に収容されるＬＥＤ照明ユニットと、を備え、
前記器具本体は、
前記ＬＥＤ照明ユニットを支持するための支持板と、
前記支持板の縁部に設けられた側板と、を有し、
前記支持板には通気用の貫通穴が設けられており、
前記ＬＥＤ照明ユニットは、
ＬＥＤ基板と、
前記ＬＥＤ基板の周囲に配置された枠体と、を有し、
前記枠体は、前記枠体の内側を向く内側面と、前記内側面の裏側に位置する外側面とを含み、
前記ＬＥＤ照明ユニットを支持する支持面に対する前記内側面の角度と、前記支持面に対する前記外側面の角度は互いに異なる、ＬＥＤ照明装置。
【請求項２】
前記内側面は反射板となっている、請求項１に記載のＬＥＤ照明装置。
【請求項３】
前記内側面と前記外側面との間に空洞部が設けられており、
前記空洞部内に、前記内側面と前記外側面とを連結する連結片が設けられている、請求項１または請求項２に記載のＬＥＤ照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）照明装置に関する。
【背景技術】
【０００２】
近年、複雑化、多様化する各種建築物では、省施工性、快適性、経済性、安全性あるいはレイアウトの自由度といった観点から、システム天井が採用されることが多い。このシステム天井は、Ｔバーと呼ばれる金属製の骨組みを平面視で格子状に施設し、施設したＴバーの上に天井仕上げ材を載せて施工するものである。例えば特許文献１、２には、このＴバーに取り付けられる照明装置が記載されている。
【先行技術文献】
【特許文献】
【０００３】
【特許文献１】特開２０１４−８６３５６号公報
【特許文献２】特許第３８１２０３４号公報
【発明の概要】
【発明が解決しようとする課題】
【０００４】
ところで、特許文献１の図２には、光源部を収納する収納枠が記載されている。この収納枠は、上下方向（縦方向）が開口し、水平方向（横方向）の四方を囲み、対向する１組の枠板及び対向する１組の枠板からなる。また、特許文献１の段落００１６には、「照明装置の枠板で囲まれた下側の開口（開口部）は、光源部、設備プレート（例えば、空調機器）等が取り付けられることにより、当該開口部の一部が塞がれ、残りの開口部である光源部で塞がれていない部分が空調レターンとなる。」ことが記載されている。
しかしながら、収納枠に光源部のみが取り付けられ、設備プレートが取り付けられない場合は、床側から見て、収納枠のうちの光源部が収納されていない領域から（Ｔバーに載せられた）天井裏（天井と屋根との間の空間、又は、天井と上階の床との間の空間）が見えることになり、見栄えが悪くなる可能性がある。
そこで、この発明はこのような事情に鑑みてなされたものであって、枠体とＬＥＤ照明ユニットとの間の隙間に設備プレートを配置しなくても、この隙間から天井裏は見えないようにすることが可能なＬＥＤ照明装置の提供を目的とする。
【課題を解決するための手段】
【０００５】
上記課題を解決するために、本発明の一態様に係るＬＥＤ照明装置は、複数本のＴバーのうち少なくとも一部が互いに平行に配置されて構成されるシステム天井の、向かい合う一対の前記Ｔバーの間に取り付けられ、ＬＥＤ照明ユニットを収容するための器具本体と、前記器具本体に収容されるＬＥＤ照明ユニットと、を備え、前記器具本体は、前記ＬＥＤ照明ユニットを支持するための支持板と、前記支持板の縁部に設けられた側板と、を有し、前記支持板には通気用の貫通穴が設けられており、前記ＬＥＤ照明ユニットは、ＬＥＤ基板と、前記ＬＥＤ基板の周囲に配置された枠体と、を有し、前記枠体は、前記枠体の内側を向く内側面と、前記内側面の裏側に位置する外側面とを含み、前記ＬＥＤ照明ユニットを支持する支持面に対する前記内側面の角度と、前記支持面に対する前記外側面の角度は互いに異なる。
【発明の効果】
【０００６】
本発明の一態様によれば、枠体とＬＥＤ照明ユニットとの間の隙間に設備プレートを配置しなくても、この隙間から天井裏は見えないようにすることが可能なＬＥＤ照明装置を提供することができる。
【図面の簡単な説明】
【０００７】
【図１】本発明の実施形態に係るＬＥＤ照明装置１の構成例を示す斜視図である。
【図２】ＬＥＤ照明装置１の構成例を示す平面図、正面図、底面図、左側面図、右側面図及び背面図である。
【図３】図２（ａ）に示す正面図をＡ−Ａ’線で切断した拡大断面図である。
【図４】図２（ａ）に示す正面図をＢ−Ｂ’線で切断した拡大断面図である。
【図５】ＬＥＤ照明装置１の構成例を示す分解斜視図である。
【図６】ＬＥＤ照明装置１の構成例を示す分解斜視図である。
【図７】器具本体２の構成例を示す斜視図である。
【図８】器具本体２の構成例を示す平面図、正面図、底面図、左側面図、右側面図及び背面図である。
【図９】第２の側板１２の構成例を示す斜視図である。
【図１０】第２の側板１２の構成例を示す平面図、正面図、底面図、左側面図、右側面図及び背面図である。
【図１１】第４の側板１４の構成例を示す斜視図である。
【図１２】第４の側板１４の構成例を示す平面図、正面図、底面図、左側面図、右側面図及び背面図である。
【図１３】第２の側板１２及び第４の側板１４の取付方法を示す斜視図である。
【図１４】ライト受け金具２０の構成例を示す斜視図である。
【図１５】ライト受け金具２０の構成例を示す平面図、正面図、底面図、左側面図、右側面図及び背面図である。
【図１６】Ｔバーフック３０の構成例を示す斜視図である。
【図１７】Ｔバーフック３０の構成例を示す平面図、正面図、底面図、左側面図、右側面図及び背面図である。
【図１８】ライト受け金具２０とＴバーフック３０との固定方法を示す斜視図である。
【図１９】ＬＥＤ照明ユニット３の構成例を示す斜視図である。
【図２０】ＬＥＤ照明ユニット３の構成例を示す平面図、正面図、底面図、左側面図、右側面図及び背面図である。
【図２１】ＬＥＤ照明ユニット３の構成例を示す分解斜視図である。
【図２２】ＬＥＤ照明ユニット３の内部の構成例を示す斜視図である。
【図２３】図２０（ａ）に示す平面図をＣ−Ｃ’線で切断した拡大断面図である。
【図２４】図２０（ａ）に示す平面図をＤ−Ｄ’線で切断した拡大断面図である。
【図２５】枠体５０の構成例を示す斜視図である。
【図２６】枠体５０の構成例を示す平面図、正面図、底面図、左側面図、右側面図及び背面図である。
【図２７】枠体５０の内側面同士の間隔と支持面に対する角度とを模式的に示す図である。
【図２８】ヒートシンク１１０の構成例を示す斜視図である。
【図２９】ＬＥＤ基板１２０の構成例を示す斜視図である。
【図３０】反射シート１３０の構成例を示す斜視図である。
【図３１】固定部材８０の構成例を示す斜視図と端面図である。
【図３２】ストッパー部材８５の構成例を示す斜視図である。
【図３３】ＬＥＤ照明ユニット３の組立方法を示す斜視図である。
【図３４】ＬＥＤ照明ユニット３の組立方法を示す斜視図である。
【図３５】ＬＥＤ照明ユニット３の組立方法を示す斜視図である。
【図３６】ＬＥＤ照明ユニット３の組立方法を示す斜視図である。
【図３７】拡散部材７０の変形例を示す模式図である。
【発明を実施するための形態】
【０００８】
以下、本発明を実施するための形態（以下、実施形態）について図面を用いて説明する。なお、本発明の実施形態は、本発明の技術的思想を具体化するための装置や方法を例示するものであって、構成部品の材質、形状、構造、配置等を下記のものに特定するものでない。本発明の技術的思想は、特許請求の範囲に記載された請求項が規定する技術的範囲内において、種々の変更を加えることができる。
【０００９】
＜構成＞
（１）ＬＥＤ照明装置
図１（ａ）及び（ｂ）は、本発明の実施形態に係るＬＥＤ照明装置１の構成例を示す斜視図である。詳しくは、図１（ａ）はＴバー５に取り付けられたＬＥＤ照明装置１の上面を上に向けて示す斜視図である。図１（ｂ）は、ＬＥＤ照明装置１の下面側（発光面側）を上に向けて示す斜視図である。
【００１０】
なお、図１（ａ）及び（ｂ）では、ＬＥＤ照明装置上下方向の上側をＺ軸の矢印で示している。また、ＬＥＤ照明装置左右方向の左側をＹ軸の矢印で示している。また、ＬＥＤ照明装置前後方向の前側をＸ軸の矢印で示している。ＬＥＤ照明装置がＴバー５に取り付けられた状態で、ＬＥＤ照明装置上下方向は鉛直方向と一致（又は、ほぼ一致）し、上下方向の上側は建物の天井側に相当し、上下方向の下側は建物の床側に相当する。また、ＬＥＤ照明装置がＴバー５に取り付けられた状態で、ＬＥＤ照明装置左右方向及びＬＥＤ照明装置前後方向はそれぞれ、鉛直方向と直交する水平方向と一致（又は、ほぼ一致）する。ＬＥＤ照明装置前後方向が、一対のＴバーが向かい合う方向である。なお、以下の説明では、ＬＥＤ照明装置上下方向を「装置上下方向」と略称し、ＬＥＤ照明装置左右方向を「装置左右方向」と略称し、ＬＥＤ照明装置前後方向を「装置前後方向」と略称する。
【００１１】
図１に示すように、ＬＥＤ照明装置１は、複数本のＴバー５のうち少なくとも一部が互いに平行に配置されて構成されるシステム天井の、向かい合う一対のＴバー５の間に取り付けられて使用される装置である。
システム天井において、複数本のＴバー５は例えば平面視で格子状に配置されており、格子状に配置された複数本のＴバー５がリップ溝形鋼（Ｃチャンネル）のような横架材（図示せず）に懸架されている。横架材やＴバー５のレイアウトについては、前述した特許文献２に詳述されているので、ここでは、その詳細な説明は省略する。但し、本発明では、複数のＴバー５のうちの少なくとも一部が互いに平行に配置されていればよく、そのレイアウトは格子状に限定されるものではない。
【００１２】
図２（ａ）〜（ｆ）は、ＬＥＤ照明装置１の構成例を示す平面図、正面図、底面図、左側面図、右側面図及び背面図である。また、図３は、図２（ａ）に示す正面図をＡ−Ａ’線で切断した拡大断面図である。図４は、図２（ａ）に示す正面図をＢ−Ｂ’線で切断した拡大断面図である。図５及び図６は、ＬＥＤ照明装置１の構成例を示す分解斜視図である。詳しくは、図５はＬＥＤ照明装置１の上面側を上に向けて示す分解斜視図であり、図６はＬＥＤ照明装置１の下面側を上に向けて示す分解斜視図である。
図２〜図６に示すように、ＬＥＤ照明装置１は、向かい合う一対のＴバー５の間に取り付けられる器具本体２と、この器具本体２に収容されるＬＥＤ照明ユニット３と、を備える。
【００１３】
（２）器具本体
図７（ａ）及び（ｂ）は、器具本体２の構成例を示す斜視図である。詳しくは、図７（ａ）は器具本体２の上面側（即ち、ＬＥＤ照明ユニット３を支持する支持面の裏側）を上に向けて示す斜視図である。また、図７（ｂ）は、器具本体２の下面側（即ち、ＬＥＤ照明ユニット３を支持する支持面の側）を上に向けて示す斜視図である。図８（ａ）〜（ｆ）は、器具本体２の構成例を示す平面図、正面図、底面図、左側面図、右側面図及び背面図である。
【００１４】
図７及び図８に示すように、器具本体２は、支持板１０と、支持板１０の周囲（外周）に配置された第１〜第４の側板１１〜１４と、第２の側板１２及び第４の側板１４にそれぞれ取り付けられるライト受け金具２０と、第２の側板１２及び第４の側板１４にそれぞれ取り付けられるＴバーフック３０と、ＬＥＤ照明ユニット３を支持板１０の支持面１０ａの側に取り付けるためのバネ金具４０とを有する。バネ金具４０は、バネ４１と、バネ４１を支持するバネ支持部４２と、バネ４１の弾性力によって支持面１０ａ側へ押圧されるアーム部４３とを有する。バネ支持部４２は締結部材（例えば、ネジ又はリベット等）によって支持面１０ａに固定されている。また、器具本体２は、支持板１０の支持面１０ａの側に取り付けられた電源端子台２３と、調光端子台２４とを有する。
【００１５】
（２．１）支持板、側板
支持板１０の平面視による形状（以下、平面形状）は矩形である。この支持板１０の４辺のうち、長手方向の２辺に沿って第１の側板１１と第３の側板１３とが配置され、長手方向と直交する短手方向の２辺に沿って第２の側板１２と第４の側板１４とが配置されている。第１〜第４の側板１１〜１４によって、支持板１０の支持面１０ａが囲まれている。これにより、器具本体２の形状は、支持板１０の支持面１０ａの上方が開口した箱状となっている。なお、支持板１０の長手方向は、装置前後方向（Ｘ軸方向）である。
【００１６】
第１の側板１１と第３の側板１３は、支持板１０と一体化している。例えば、支持板１０の長手方向の両端部を折り曲げて第１の側板１１及び第３の側板１３としている。第１の側板１１のうち、第２の側板１２及び第４の側板１４とそれぞれ隣接する両側部には、長手方向の外側へ突き出た爪部１５が設けられている。同様に、第３の側板１３のうち、第２の側板１２及び第４の側板１４とそれぞれ隣接する両側部には、長手方向の外側へ突き出た爪部１６が設けられている。
【００１７】
また、第１の側板１１のうち、器具本体２の開口側に位置する縁部１１ｃは、器具本体２の外側へ折り曲げられている。同様に、第３の側板１３のうち、器具本体２の開口側に位置する縁部１３ｃも、器具本体２の外側へ折り曲げられている。これにより、第１の側板１１と第３の側板１３のそれぞれについて、剛性の向上が図られている。
【００１８】
一方、第２の側板１２と第４の側板１４は、支持板１０とは別体に形成されている。
図９は、第２の側板１２の構成例を示す斜視図である。図１０（ａ）〜（ｆ）は、第２の側板１２の構成例を示す平面図、正面図、底面図、左側面図、右側面図及び背面図である。図９及び図１０に示すように、第２の側板１２は、支持板１０の中央部側に面する内側面１２ａと外側面１２ｂとの間を貫通する貫通穴１８と、内側面１２ａと外側面１２ｂとの間を貫通する挿通口１９、２１とが設けられている。貫通穴１８は、ライト受け金具２０とＴバーフック３０とを固定するネジを通すための穴である。ライト受け金具２０とＴバーフック３０は、この貫通穴１８を介して固定される。また、挿通口１９は、Ｔバーフック３０の後述する突出片３１３（図１６参照）を挿通するためのスリット状の穴である。本実施形態では、挿通口１９として、第１の挿通口１９ａと第２の挿通口１９ｂとが設けられている。挿通口２１は、前述の爪部１５、１６を挿通するためのスリット状の穴である。また、第２の側板１２の底部にも、貫通穴３１が設けられている。この貫通穴３１は、第２の側板１２を支持板１０に固定する際にネジを通すための穴である。
また、第２の側板１２のうち、器具本体２の開口側に位置する縁部１２ｃは、器具本体２の外側へ折り曲げられている。これにより、第２の側板１２の剛性の向上が図られている。
【００１９】
図１１は、第４の側板１４の構成例を示す斜視図である。図１２（ａ）〜（ｆ）は、第４の側板１４の構成例を示す平面図、正面図、底面図、左側面図、右側面図及び背面図である。図１１及び図１２に示すように、第４の側板１４は、支持板１０の中央部側に面する内側面１４ａと、内側面１４ａの反対側（裏側）に位置する外側面１４ｂとを有する。第４の側板１４には、内側面１４ａと外側面１４ｂとの間を貫通する貫通穴２５〜２７と、内側面１４ａと外側面１４ｂとの間を貫通する挿通口２２、２８とが設けられている。貫通穴２５は、ライト受け金具２０とＴバーフック３０とを固定するネジを通すための穴である。貫通穴２６は、電源端子台と外部の配線とを接続するための穴である。貫通穴２７は、調光端子台と外部の配線とを接続するための穴である。挿通口２８は、Ｔバーフック３０の後述する突出片を挿通するためのスリット状の穴である。本実施形態では、挿通口２８として、第１の挿通口２８ａと第２の挿通口２８ｂとが設けられている。挿通口２２は、前述の爪部１５、１６を挿通するためのスリット状の穴である。また、第４の側板１４の底部にも、貫通穴３４が設けられている。この貫通穴３４は、第４の側板１４を支持板１０に固定する際にネジを通すための穴である。
また、第４の側板１４のうち、器具本体２の開口側の縁部１４ｃは、器具本体２の外側へ折り曲げられている。これにより、第４の側板１４の剛性の向上が図られている。
【００２０】
図７に示したように、支持板１０には、通気用の貫通穴（以下、通気口）２９が設けられている。この通気口２９は、支持板１０の支持面１０ａとその裏側に位置する背面１０ｂとの間を貫通する穴である。例えば、通気口２９は複数設けられており、これら複数の通気口２９は器具本体２の長手方向（即ち、装置前後方向）に沿って並んで配置されている。この通気口２９を通って空気が流れることにより、ＬＥＤ照明ユニット３から生じる熱は、ＬＥＤ照明装置１の外部へ高効率に放散される。支持板１０と第１〜第４の側板１４は、例えば金属（一例として、ステンレス鋼）など、熱伝導性に優れた材料からなる。
【００２１】
（２．２）側板の取付方法
図１３（ａ）及び（ｂ）は、第２の側板１２及び第４の側板１４の取付方法を示す斜視図である。図１３（ａ）に示すように、第２の側板１２の内側面１２ａを支持板１０の中央部側に向け、爪部１５、１６を挿通口２１に通す。爪部１５、１６を挿通口２１に通すことにより、支持板１０に対して第２の側板１２が位置決めされる。例えば、第２の側板１２の底部に貫通穴３１が設けられており、支持板１０には貫通穴３２が設けられている。上記の位置決めにより、これら貫通穴３１、３２が上下方向で重なる形となる。
次に、図１３（ｂ）に示すように、爪部１５、１６を第２の側板１２の中央部側へ折り曲げる。その後、貫通穴３１、３２にネジ３３を通して、第２の側板１２を支持板１０に固定する。これにより、第２の側板１２の取付けが完了する。
【００２２】
同様の方法で、第４の側板１４も支持板１０に取り付ける。即ち、第４の側板１４の内側面１４ａを支持板１０の中央部側に向け、爪部１５、１６を挿通口２２に通すにより、支持板１０に対して第４の側板１４が位置決めされる。次に、爪部１５、１６を第４の側板１４の中央部側へ折り曲げる。その後、第４の側板１４を支持板１０にネジで固定する。これにより、第４の側板１４の取付けが完了する。
【００２３】
（２．３）ライト受け金具
ライト受け金具２０は、器具本体に対するＬＥＤ照明ユニットの位置を決める、位置決め用の金具である。ライト受け金具２０は、器具本体の第２の側板の内側面と、第４の側板の内側面とにそれぞれ配置される。
【００２４】
図１４は、ライト受け金具２０の構成例を示す斜視図である。図１５（ａ）〜（ｆ）は、ライト受け金具２０の構成例を示す平面図、正面図、底面図、左側面図、右側面図及び背面図である。図１４及び図１５に示すように、ライト受け金具２０は、ベース部２１１と、ライト受け部２１７とを有する。ベース部２１１は板状の部位である。ベース部２１１には、挿通口２１３と貫通穴２１５とが形成されている。挿通口２１３は、Ｔバーフック３０の後述する突出片３１３（図１６参照）を通すためのスリット状の切込みである。本実施形態では、挿通口２１３として、第１の挿通口２１３ａと第２の挿通口２１３ｂとが設けられている。また、貫通穴２１５は、ライト受け金具２０とＴバーフック３０とを固定するネジを通すための穴である。貫通穴２１５は、ベース部２１１の主面２１１ａと、主面２１１ａの裏側に位置する背面２１１ｂとの間を貫通している。貫通穴２１５の内側面には、ネジ溝が設けられている。
【００２５】
ライト受け金具２０は、例えば金属板を予め設定した（以下、所定の）形状に型抜きし（又は、切削し）、これを折り曲げることで形成されており、ベース部２１１とライト受け部２１７とが一体化している。ライト受け部２１７は、金属板をベース部２１１となる部分に対して主面２１１ａ側に約９０°折り曲げることで形成されている。
ＬＥＤ照明ユニット３を器具本体２に取り付ける場合は、図７に示したアーム部４３を後述するバネ掛止具９５（図２１参照）に掛け止める。すると、ＬＥＤ照明ユニット３は、バネ４１によって支持板１０側へ押し当てられるとともに、ライト受け部２１７と接触して支持板１０側への移動が制止される。これにより、ＬＥＤ照明ユニット３は、器具本体２内の所定の位置に収容される。
【００２６】
（２．４）Ｔバーフック
Ｔバーフック３０は、Ｔバー５に係合するための金具である。Ｔバーフック３０は、器具本体の第２の側板の外側面のうち、ライト受け金具２０が配置される内側面の裏側の位置に配置される。また、Ｔバーフック３０は、第４の側板の外側面のうち、ライト受け金具２０が配置される内側面の裏側の位置にも配置される。つまり、Ｔバーフック３０は、第２の側板（又は、第４の側板）を挟んでライト受け金具２０と向かい合う位置に配置される。
【００２７】
図１６は、Ｔバーフック３０の構成例を示す斜視図である。図１７（ａ）〜（ｆ）は、Ｔバーフック３０の構成例を示す平面図、正面図、底面図、左側面図、右側面図及び背面図である。
図１６及び図１７に示すように、Ｔバーフック３０は、ベース部３１１と、突出片３１３と、係合部３１５とを有する。ベース部３１１は板状の部位である。ベース部３１１には、その主面３１１ａと背面３１１ｂとの間を貫通する貫通穴３１７が設けられている。この貫通穴３１７は、締結部材を通すための穴である。また、本実施形態では、突出片３１３として、第１の突出片３１３ａと第２の突出片３１３ｂとが設けられている。第１の突出片３１３ａと第２の突出片３１３ｂは、ベース部３１１の装置左右方向の両側で、主面３１１ａ側へそれぞれ起立した状態で設けられている。
【００２８】
Ｔバーフック３０は、例えば金属板を所定の形状に型抜きし（又は切削し）、これを折り曲げることで形成されており、ベース部３１１と突出片３１３と係合部３１５とが一体化している。突出片３１３は、金属板をベース部３１１となる部分に対して主面３１１ａ側に約９０°折り曲げることで形成されている。また、係合部３１５は、金属板をベース部となる部分に対して折り曲げることで形成されている。
【００２９】
（２．５）ライト受け金具とＴバーフックとの固定方法
図１８は、ライト受け金具２０とＴバーフック３０との固定方法を示す斜視図である。図１８に示すように、まず、Ｔバーフック３０を第２の側板１２の外側面の側に配置する。次に、Ｔバーフック３０の第１の突出片３１３ａと第２の突出片３１３ｂとを、第２の側板１２の第１の挿通口１９ａと第２の挿通口１９ｂとにそれぞれ通す。次に、ライト受け金具２０を器具本体２の支持面１０ａの側に近づける。そして、装置上下方向の下側から（図１８では、図面上側から）ライト受け金具２０の第１の挿通口２１３ａに第１の突出片３１３ａを入れ、第２の挿通口２１３ｂに第２の突出片３１３ｂを入れる。これにより、第２の側板１２に対してライト受け金具２０とＴバーフック３０とがそれぞれ位置決めされ、第２の側板１２を挟んでライト受け金具２０とＴバーフック３０とが互いに向かい合う形となる。また、この位置決めにより、ライト受け金具２０の貫通穴２１５と、第２の側板１２の貫通穴１８と、Ｔバーフック３０の貫通穴３１７（図１６参照）とが、器具本体２の長手方向（即ち、装置前後方向）で重なる。その後、これら貫通穴２１５、１８、３１７にネジ３５を通す。これにより、第２の側板１２を挟んで、ライト受け金具２０とＴバーフック３０とが互いに固定される。
図示しないが、第４の側板の側におけるライト受け金具２０とＴバーフック３０との固定方法も、上記した第２の側板１２の側における固定方法と同様である。
【００３０】
（３）ＬＥＤ照明ユニット
図１９は、ＬＥＤ照明ユニット３の構成例を示す斜視図である。図２０は、ＬＥＤ照明ユニット３の構成例を示す平面図、正面図、底面図、左側面図、右側面図及び背面図である。図２１は、ＬＥＤ照明ユニット３の構成例を示す分解斜視図である。図２２は、ＬＥＤ照明ユニット３の内部の構成例を示す斜視図である。図２２では、ＬＥＤ照明ユニット３の内部を示すために、拡散部材を省略して記載している。図２３は、図２０（ａ）に示す平面図をＣ−Ｃ’線で切断した拡大断面図である。図２４は、図２０（ａ）に示す平面図をＤ−Ｄ’線で切断した拡大断面図である。
【００３１】
図１９〜図２４に示すように、ＬＥＤ照明ユニット３は、第１の開口５６及び第２の開口５７を有する枠体５０と、枠体５０の内側に嵌め込まれる積層構造体６０と、枠体５０の第２の開口５７側を塞ぐ拡散部材７０と、拡散部材７０を枠体５０に固定する固定部材８０と、を備える。積層構造体６０と拡散部材７０は、装置上下方向で向かい合った状態で、互いに離れて配置されている。また、ＬＥＤ照明ユニット３は、枠体５０に取り付けられて拡散部材７０の脱落を防止するストッパー部材８５と、積層構造体６０のうち拡散部材７０と向かい合う面の反対側（即ち、背面側）に取り付けられる電源ボックス９０と、積層構造体６０の背面側に取り付けられるバネ掛止具９５と、を備える。ＬＥＤ照明装置１を天井に取り付けると、枠体の第１の開口５６は鉛直方向の上側に位置し、枠体の第２の開口５７は鉛直方向の下側に位置する。
【００３２】
積層構造体６０は、枠体５０の第１の開口５６を塞ぐヒートシンク１１０と、ヒートシンクの第２の開口５７側に配置されるＬＥＤ基板１２０と、ＬＥＤ基板１２０の第２の開口５７側に配置される反射シート１３０と、を有する。
【００３３】
（３．１）枠体
図２５は、枠体５０の構成例を示す斜視図である。図２６は、枠体５０の構成例を示す平面図、正面図、底面図、左側面図、右側面図及び背面図である。
図２５及び図２６に示すように、枠体５０は、装置上下方向の一方の側に全面が開口した第１の開口５６と、装置上下方向の他方の側に全面が開口した第２の開口５７とを有する。枠体５０の外周の平面形状は矩形であり、矩形の長手方向（即ち、装置前後方向）に沿う第１の側部５１及び第３の側部５３と、矩形の短手方向（即ち、装置左右方向）に沿う第２の側部５２及び第４の側部５４と、を有する。枠体５０は、例えば金型を用いた射出成型技術で一体成型されており、第１〜第４の側部５１〜５４は一体化している。
【００３４】
この枠体５０は、枠体５０の内側（即ち、ＬＥＤ基板の側）を向く内側面と、内側面の裏側に位置する外側面とを含む。例えば、枠体５０のうち、第１の側部５１は、第１の内側面５１ａと、第１の内側面５１ａの裏側に位置する第１の外側面５１ｂとを含む。第２の側部５２は、第２の内側面５２ａと、第２の内側面５２ａの裏側に位置する第２の外側面５２ｂとを含む。第３の側部５３は、第３の内側面５３ａと、第３の内側面５３ａの裏側に位置する第３の外側面５３ｂとを含む。第４の側部５４は、第４の内側面５４ａと、第４の内側面５４ａの裏側に位置する第４の外側面５４ｂとを含む。
【００３５】
ここで、枠体５０は、ＬＥＤ素子からの出射光を反射する部材で構成されており、例えば出射光を反射する樹脂で一体成型されている。これにより、枠体５０の内側面はそれぞれ反射板となっている。例えば、枠体５０の内側面である、第１の内側面５１ａ、第２の内側面５２ａ、第３の内側面５３ａ及び第４の内側面５４ａは、それぞれ反射板となっている。また、第２の側部５２の外側面５２ｂには、第２の側部５２にストッパー部材８５を取り付ける際にネジを通すための開口部８７が設けられている。
【００３６】
図２７（ａ）及び（ｂ）は、枠体５０の内側面同士の間隔と支持面に対する角度とを模式的に示す図である。枠体５０の内側（即ち、ＬＥＤ基板の側）を向く内側面は、互いに向かい合う内側面同士の間隔が第１の開口５６側から第２の開口５７側に向かうに従って広がるように傾斜している。例えば、図２７（ａ）に示すように、第１の内側面５１ａと第３の内側面５３ａとの間隔Ｌ１は、第１の開口５６側から第２の開口５７側に向かうに従って広がっている。同様に、第２の内側面５２ａと第４の内側面５４ａとの間隔Ｌ２も、第１の開口５６側から第２の開口５７側に向かうに従って広がっている。
【００３７】
また、ＬＥＤ照明ユニット３を支持する支持面１０ａに対する内側面の角度と、支持面１０ａに対する外側面の角度は互いに異なる。例えば、支持面１０ａに対する第１の内側面５１ａの角度をθ１Ａとし、支持面１０ａに対する第１の外側面５１ｂの角度をθ１Ｂとしたとき、θ１Ａとθ１Ｂは互いに異なる角度となっている（θ１Ａ≠θ１Ｂ）。支持面１０ａに対する第２の内側面５２ａの角度をθ２Ａとし、支持面１０ａに対する第２の外側面５２ｂの角度をθ２Ｂとしたとき、θ２Ａとθ２Ｂは互いに異なる角度となっている（θ２Ａ≠θ２Ｂ）。支持面１０ａに対する第３の内側面５３ａの角度をθ３Ａとし、支持面１０ａに対する第３の外側面５３ｂの角度をθ３Ｂとしたとき、θ３Ａとθ３Ｂは互いに異なる角度となっている（θ３Ａ≠θ３Ｂ）。支持面１０ａに対する第４の内側面５４ａの角度をθ４Ａとし、支持面１０ａに対する第４の外側面５４ｂの角度をθ４Ｂとしたとき、θ４Ａとθ４Ｂは互いに異なる角度となっている（θ４Ａ≠θ４Ｂ）。
【００３８】
本実施形態では、例えば、θ１Ａ＞θ１Ｂ、θ２Ａ＞θ２Ｂ、θ３Ａ＞θ３Ｂ、θ４Ａ＞θ４Ｂとなっている。また、θ１Ａ＝θ３Ａ、θ２Ａ＝θ４Ａ、且つ、θ１Ｂ＝θ３Ｂ、θ２Ｂ＝θ４Ｂ、となっていてもよい。θ１Ａ＝θ２Ａ＝θ３Ａ＝θ４Ａ、且つ、θ１Ｂ＝θ２Ｂ＝θ３Ｂ＝θ４Ｂ、となっていてもよい。
【００３９】
図２５に戻って、枠体５０の内側面と外側面との間に空洞部５８が設けられている。そして、この空洞部５８内に内側面と前記外側面とを連結する連結片５９が設けられている。これにより、枠体５０に求められる剛性を確保しつつ、その軽量化と、材料コストの低減とが図られている。
【００４０】
また、この枠体５０は、枠体５０の内側を向く内側面から内側へ突き出た複数の突出片５５を有する。積層構造体６０は、枠体５０の内側のうち、複数の突出片５５と第１の開口５６との間に嵌め込まれる。この嵌め込まれた積層構造体６０は、複数の突出片５５と接触することによって、第２の開口５７の側への移動が制止される。突出片５５は、枠体５０と一体に形成された第１の突出片５５ａと、枠体５０とは一体に形成され、且つ上下方向に貫通穴を有する第２の突出片５５ｂとを含む。第２の突出片５５にネジを通すことによって、枠体５０はヒートシンク１１０に固定される。
【００４１】
また、第１の側部５１の第２の開口５７側の縁部には、枠体５０の外側へ突き出た第１の突縁部１５１が設けられている。同様に、第３の側部５３の第２の開口５７側の縁部には、枠体５０の外側へ突き出た第２の突縁部１５２が設けられている。これら突縁部１５１、１５２に、固定部材８０の後述する溝部がそれぞれ嵌め込まれる。また、第１の突縁部１５１の長手方向の端部であって第４の側部５４に近い側の端部と、第２の突縁部１５２の長手方向の端部であって第４の側部５４に近い側の端部とに、固定部材８０の脱落を防ぐための衝止部１５５が設けられている。
【００４２】
なお、本実施形態において、突出片５５を含む枠体５０の色は、反射シート１３０と同一系統の色（例えば、白色系の色）であることが好ましい。
【００４３】
（３．２）ヒートシンク
図２８は、ヒートシンク１１０の構成例を示す斜視図である。図２８に示すように、ヒートシンク１１０は、ＬＥＤ基板１２０や電源ボックス９０等が取り付けられる支持部１１１と、支持部１１１の周囲に位置する側部１１３とを有する。支持部１１１は、主面１１１ａと背面１１１ｂとを有し、平面形状は一方向に細長い矩形である。また、側部１１３は、背面１１１ｂ側で起立している。ヒートシンク１１０は、例えば金属（一例として、ステンレス鋼）など、熱伝導性に優れた材料からなる。
【００４４】
ヒートシンク１１０には、支持部１１１の主面１１１ａと背面１１１ｂとの間を貫通する貫通穴１１５が設けられている。この貫通穴１１５は、主面１１１ａ側のＬＥＤ基板と背面１１１ｂ側の電源ボックスとを接続する配線を通すための穴である。また、ヒートシンク１１０には、主面１１１ａと背面１１１ｂとの間を貫通する貫通穴１１６が設けられている。この貫通穴１１６にネジを通すことによって、支持部１１１の主面１１１ａ側にＬＥＤ基板や反射シートを固定したり、支持部１１１の背面１１１ｂ側に電源ボックスやバネ掛止具を固定したり、支持部１１１に枠体５０を固定したりすることが可能である。
【００４５】
なお、電源ボックス９０（例えば、図２１参照）は、その内部にＬＥＤ点灯回路（即ち、電源回路）を収納する筐体である。電源ボックスは、プラスチック、金属（一例として、ステンレス鋼又はアルミニウム）などの材料からなり、その外観形状は一方向に長く延びた形状である。ＬＥＤ点灯回路は、例えば、電源端子台２３（例えば、図７参照）を介して外部から供給される交流電力を直流に変換し、その出力（即ち、直流電力）をＬＥＤ基板１２０に供給する。
【００４６】
（３．３）ＬＥＤ基板
図２９は、ＬＥＤ基板１２０の構成例を示す斜視図である。図２９に示すように、ＬＥＤ基板１２０の平面形状は一方向に細長い矩形状である。ＬＥＤ基板１２０は、基板１２１と、基板１２１の主面側に実装された複数のＬＥＤ素子１２３と、複数のＬＥＤ素子１２３間を接続する導電層（図示せず）と、導電層を覆って保護する保護層（図示せず）と、導電層に接続するコネクタ端子（図示せず）と、を有する。
【００４７】
ＬＥＤ素子１２３は、例えば半導体を用いたｐｎ接合を有し、ｐｎ接合の順方向にバイアスが加えられて電流が流れると、電子と正孔とが再結合して光を放出する素子である。ＬＥＤ素子１２３が発光する色は特に制限されず、例えば昼白色でもよいし、電球色でもよい。
【００４８】
導電層は、ＬＥＤ基板１２０の基材上に形成されている。例えば、基材はＦＲ−４又はＣＥＭ−３であり、導電層は銅（Ｃｕ）からなる。導電層にＬＥＤ素子１２３が取り付けられることにより、複数のＬＥＤ素子１２３間が接続される。保護層は絶縁性であり、その色は反射シート１３０と同一系統の色（例えば、白色系の色）であることが好ましい。コネクタ端子は、例えば、ＬＥＤ基板１２０へ電流を入力するための入力用端子と、ＬＥＤ基板１２０から電流を出力するための出力用端子とを有する。ＬＥＤ基板１２０は、例えばネジ等によって、ヒートシンク１１０の主面側に固定されている。
【００４９】
なお、本実施形態では、図２１に示したように、ＬＥＤ照明ユニット３は２枚のＬＥＤ基板１２０を有する。これら２枚のＬＥＤ基板１２０は、ヒートシンク１１０の主面１１１ａ上で互いに離れて配置されている。
【００５０】
（３．４）反射シート
図３０は、反射シート１３０の構成例を示す斜視図である。
図３０に示すように、反射シート１３０は、基材１３１と、基材１３１に設けられた第１の貫通穴１３３と、基材１３１に設けられた第２の貫通穴１３５と、を有する。第１の貫通穴１３３と第２の貫通穴１３５はそれぞれ、基材１３１の主面１３１ａと、主面１３１ａの裏側に位置する背面１３１ｂとの間を貫通する穴である。反射シート１３０をＬＥＤ基板の上に載せられると、第１の貫通穴１３３からＬＥＤ基板のＬＥＤ素子が露出するようになっている。また、第２の貫通穴１３５は、後述の押さえ部材を配置するための穴である。
【００５１】
反射シート１３０は、ＬＥＤ素子からの出射光を反射する材質で構成されており、例えばポリエチレンテレフタラート（ＰＥＴ）又はポリプロピレン（ＰＰ）である。また、反射シート１３０の色は例えば白色系であり、光沢を有する。なお、反射シート１３０の材質、表面の色及び光沢の有無に特に制限はないが、光の反射率が高いものを用いることによって、ＬＥＤ照明装置１の光束を高めることができる。
【００５２】
（３．５）拡散部材
図２１等に示した拡散部材７０は、ＬＥＤ素子からの出射光を拡散させつつ透過する部材で構成されている。図２１に示したように、拡散部材７０は、例えば平面形状が矩形の板（即ち、拡散板）である。拡散部材７０は、例えば樹脂からなり、金型を用いた射出成型技術で形成される。
【００５３】
（３．６）固定部材
図３１（ａ）及び（ｂ）は、固定部材８０の構成例を示す斜視図と端面図である。
固定部材８０は、枠体５０の外側から拡散部材７０を枠体５０に固定する部材であり、拡散部材７０の長手方向に沿う側部に取り付けられる。図３１に示すように、固定部材８０は、一方向に長い長尺状の部材である。固定部材８０は、一方向に延設された溝部８１と、一方向に延設された押さえ部８３とを有する。溝部８１には、枠体の突縁部が嵌め込まれる。また、押さえ部８３は、拡散部材の長手方向の側部を、枠体の側に押さえて固定する部位である。拡散部材７０は例えば樹脂からなり、金型を用いた射出成型技術で形成される。
【００５４】
ＬＥＤ照明装置１は、図３１に示す固定部材８０を一対（即ち、２本）備える。一対の固定部材８０は、互いに同一の形状で同一の大きさを有し、同一の材料で構成されている。図１９に示したように、一対の固定部材８０は、拡散部材７０の長手方向の両側部にそれぞれ取り付けられる。
【００５５】
（３．７）ストッパー部材
図３２は、ストッパー部材８５の構成例を示す斜視図である。図３２に示すように、ストッパー部材８５には、主面８５ａと背面８５ｂとの間を貫通する貫通穴８６が設けられている。ストッパー部材８５の平面形状は矩形であり、その長手方向の長さは枠体５０の短手方向の長さよりも若干長い程度である。
【００５６】
（４）ＬＥＤ照明ユニットの組立方法
図３３〜図３６は、ＬＥＤ照明ユニット３の組立方法を示す斜視図である。詳しくは、図３３は、積層構造体６０の組立方法を示す図である。図３４は、ヒートシンク１１０に対する枠体５０の取付方法を示す図である。図３５（ａ）及び（ｂ）は、枠体５０に対する拡散部材７０の取付方法を示す図である。図３６は、枠体５０に対するストッパー部材８５の取付方法を示す図である。
【００５７】
（４．１）積層構造体の組立方法
図３３（ａ）に示すように、まず、ヒートシンク１１０と、ＬＥＤ基板１２０と、反射シート１３０とを用意する。次に、ヒートシンク１１０の主面１１１ａ上にＬＥＤ基板１２０を配置する。ここでは、ヒートシンク１１０の主面１１１ａ上に、２枚のＬＥＤ基板１２０を互いに離して配置する。次に、２枚のＬＥＤ基板１２０上に反射シート１３０を配置する。ここでは、互いには離れて配置された２枚のＬＥＤ基板１２０と、ヒートシンク１１０の主面であってＬＥＤ基板１２０下から露出している領域とを連続して覆うように、１枚の反射シート１３０を配置する。
【００５８】
次に、図３３（ｂ）に示すように、例えば樹脂製の押さえ部材１３７と、ネジ１３９とを用意する。押さえ部材１３７の色は、反射シート１３０と同一系統の色（例えば、白色系の色）であることが好ましい。次に、反射シート１３０の第２の貫通穴１３５と重なる位置に押さえ部材１３７を配置し、第２の貫通穴１３５に押さえ部材１３７を嵌め込む。これにより、反射シート１３０に対して押さえ部材１３７は位置決めされ、押さえ部材１３７の周辺部は第２の貫通穴１３５からはみ出して反射シート１３０を覆う形となる。
【００５９】
その後、押さえ部材１３７にネジ１３９を通す。これにより、反射シート１３０とその直下の２枚のＬＥＤ基板１２０は、押さえ部材１３７に押し当てられてヒートシンク１１０の主面１１１ａ側へ固定される。このような方法で、積層構造体６０を組み立てる。
【００６０】
なお、図２１に示した電源ボックス９０とバネ掛止具９５は、図３３に示す工程よりも前の工程でヒートシンク１１０の背面側に取り付けておいてもよいし、図３３に示す工程より後の工程でヒートシンク１１０の背面側に取り付けてもよい。
【００６１】
（４．２）枠体の取付方法
図３４に示すように、枠体５０と積層構造体６０とネジ１４１とを用意する。そして、積層構造体６０の反射シート１３０と、枠体５０の第１の開口５６とを対向させ、第１の開口５６の側から枠体５０の内側に積層構造体６０を嵌め込んで、第１の開口５６をヒートシンク１１０で覆う。次に、図３４の矢印で示すように、枠体５０の第２の突出片５５が有する貫通穴にネジ１４１を通して、枠体５０と積層構造体６０とをネジ１４１で固定する。
このような方法で、枠体５０を積層構造体６０に取り付ける。枠体５０を積層構造体６０に取り付けると、枠体５０の第１の開口５６はヒートシンク１１０で塞がれ、ＬＥＤ基板と反射シート１３０は枠体５０の内側面で囲まれた状態となる。
【００６２】
（４．３）拡散部材の取付方法
図３５（ａ）に示すように、積層構造体６０と、拡散部材７０と、一対の固定部材８０と、スポンジシート１４０とを用意する。以下、一対の固定部材８０のうち、一方を第１の固定部材８０Ａと称し、他方を第２の固定部材８０Ｂと称する。また、スポンジシート１４０は、枠型のスポンジである。まず、枠体５０の第２の開口５７側にスポンジシート１４０を介して拡散部材７０を配置する。枠体５０と拡散部材７０との間にスポンジシート１４０を配置して、枠体５０と拡散部材７０との間に隙間が生じないようにすることで、隙間から枠体５０の内側に虫等が入り込むことを防ぐことができる。
【００６３】
上記のように拡散部材７０を配置することで、拡散部材７０の長手方向（即ち、装置前後方向）の両側部のうちの一方と、スポンジシート１４０と、枠体５０の第１の側部５１とが装置上下方向で重なる形となる。また、上記のように拡散部材７０を配置することで、拡散部材７０の長手方向の両側部のうちの他方と、スポンジシート１４０と、枠体５０の第３の側部５３とが上下方向で重なる形となる。
【００６４】
次に、図３２（ｂ）に示すように、第２の固定部材８０Ｂの溝部８１を、枠体５０の第２の側部５２の側から、第２の突縁部１５３に嵌め込む。そして、第２の固定部材８０Ｂを、枠体５０に対して相対的にスライドさせ、衝止部１５５に接触させる。これにより、第２の固定部材８０Ｂは、枠体５０の第３の側部５３に固定される。第３の突縁部１５３は、溝部８１の開口縁部に係止されるため、第３の側部５３から外側（即ち、装置本体左右方向の左側）への脱落が防止される。また、拡散部材７０は、第１の固定部材８０の押さえ部８３によって、枠体５０の第３の側部５３に押し当てられる。
【００６５】
同様に、第１の固定部材８０Ａの溝部８１を、枠体５０の第２の側部５２の側から、第１の突縁部１５１に嵌め込む。そして、第１の固定部材８０Ａを、枠体５０に対して相対的にスライドさせ、衝止部１５５に接触させる。これにより、第１の固定部材８０Ａは、枠体５０の第１の側部５１に固定される。第１の突縁部１５１は、固定部材８０の溝部８１の開口縁部に係止されるため、第１の側板から外側（即ち、装置本体左右方向の右側）への脱落が防止される。また、拡散部材７０は、第１の固定部材８０の押さえ部８３によって、枠体５０の第１の側部５１に押し当てられる。
【００６６】
次に、図３６に示すように、ストッパー部材８５を枠体５０の第２の側部５２に外側から取り付ける。この取付けは、ストッパー部材８５の貫通穴８６と、第２の側部５２の開口部８７とにネジ８８を通すことで行う。これにより、第１の固定部材８０Ａ及び第２の固定部材８０Ｂは、ストッパー部材８５と衝止部１５５とによって枠体５０の長手方向（即ち、装置前後方向）の両側からそれぞれ挟まれた形となる。したがって、第１の固定部材８０Ａ及び第２の固定部材８０Ｂが、枠体５０や拡散部材７０から外れることを防止することができる。このような方法で、拡散部材７０を枠体５０に取り付ける。
【００６７】
＜実施形態の効果＞
本発明の実施形態は、以下の効果を奏する。
（１）Ｔバー５と係合する係合部３１５を含むＴバーフック３０は、第２の側板１２（又は、第４の側板１４）に直接固定されるのではなく、第２の側板１２（又は、第４の側板１４）に設けられた貫通穴を介して、ライト受け金具２０に固定される。これにより、器具本体２をＴバー５に取り付ける際に、第２の側板１２（又は、第４の側板１４）に対するＴバーフック３０の取付位置を装置前後方向（即ち、Ｘ軸方向）に微調整することができる。したがって、かりに、向かい合う一対のＴバー５の格子の間隔が設計値よりも広いような場合でも、Ｔバーフック３０の取付位置を装置前後方向に微調整してその係合部３１５をＴバー５に係合させることが可能である。
このように、Ｔバー５の施工寸法に誤差が生じている場合でも、その誤差に応じてＴバーフック３０の取付位置を装置前後方向に微調整することができるので、器具本体２をＴバー５に容易に取り付けることができる。
【００６８】
（２）また、ライト受け金具２０及びＴバーフック３０には、第２の側板１２（又は、第４の側板１４）の貫通穴と重なる位置に、貫通穴２１５、３１７がそれぞれ設けられている。Ｔバーフック３０側からライト受け金具２０側にかけて穴にネジ３５を通すことによって、第２の側板１２（又は、第４の側板１４）を挟んでライト受け金具２０とＴバーフック３０とが互いに固定されるようになっている。
この構造により、器具本体２をＴバー５に取り付ける際に、当初はネジ３５を緩めておき、Ｔバー５にＴバーフック３０の係合部３１５を係合させた後でネジ３５を締めることができる。ネジ３５を緩めておくことにより、第２の側板１２（又は、第４の側板１４）に対してＴバーフック３０を装置前後方向に動かすことができるので、Ｔバーフック３０のＴバー５への係合を容易に行うことができる。
【００６９】
（３）また、Ｔバーフック３０には突出片３１３が設けられており、ライト受け金具２０には突出片を挿通するための挿通口２１３が設けられている。これにより、Ｔバーフック３０を第２の側板１２（又は、第４の側板１４）に取り付ける際に、ネジ３５を中心にＴバーフック３０が回転しないように、ライト受け金具２０で仮止めすることができる。
【００７０】
（４）ＬＥＤ照明ユニット３は、枠体５０の内側に嵌め込まれる積層構造体６０を備える。この積層構造体６０は、枠体５０の第１の開口５６を塞ぐヒートシンク１１０と、ヒートシンク１１０の第２の開口５７側に配置されるＬＥＤ基板１２０と、ＬＥＤ基板１２０の第２の開口５７側に配置される反射シート１３０と、を有する。この積層構造体６０を用いてＬＥＤ照明ユニット３を組み立てる際は、枠体５０の第１の開口５６と反射シート１３０とを対向させ、第１の開口５６の側から枠体５０の内側に積層構造体６０を嵌め込んで第１の開口５６をヒートシンク１１０で覆う。
第１の開口５６の側から枠体５０の内側に積層構造体６０を嵌め込むことで、枠体５０の取付位置を位置決めすることができる。また、この嵌め込む工程は、積層構造体６０ではなく枠体５０をハンドリングすることで実行できるので、作業が容易である。したがって、ＬＥＤ照明ユニット３の組み立てが容易であり、ＬＥＤ照明ユニット３の製造コストを低減することが可能である。
【００７１】
（５）また、第１の開口５６の側から積層構造体６０を嵌め込むため、第２の開口５７の側から嵌め込む場合と比べて、枠体５０の内側面（即ち、反射板）が積層構造体６０と接触することを防ぐことができる。これにより、反射板の傷付きを防ぐことができる。
（６）また、枠体５０の内側面を反射板として用いるため、別途に反射板を用意する必要がない。これにより、ＬＥＤ照明ユニットを構成する部品の点数を削減できるので、ＬＥＤ照明ユニットの製造コストを低減することができる。
（７）また、反射シート１３０と、反射板（即ち、枠体５０の内側面）及び突出片５５は、第２の開口５７側から見て同一系統の色である。これにより、反射シート１３０、反射板及び突出片５５に視覚的に一体感のある（統一感のある）反射部材として用いることができる。
【００７２】
（８）支持板１０の支持面１０ａに対する、枠体５０の内側面の角度と、この内側面の裏側に位置する外側面の角度は互いに異なる。これにより、枠体５０の内側面と外側面とに互いに異なる機能を持たせることができる。例えば、外側面については、器具本体２の通気用の貫通穴（即ち、通気口）２９が隠れるように外側面の角度を設定することで、通気口２９を隠す遮蔽板として機能させることができる。したがって、器具本体２とＬＥＤ照明ユニット２との間の隙間に設備プレートを配置しなくても、この隙間から天井裏を見えないようにすることが可能である。また、内側面については、ＬＥＤ素子１２３からの出射光を反射する反射板として機能させることができる。
【００７３】
（９）また、枠体５０の内側面と外側面との間に空洞部５８が設けられている。そして、この空洞部５８内に、内側面と外側面とを連結する連結片５９が設けられている。これにより、枠体５０に求められる剛性を連結片５９で確保しつつ、枠体５０を軽量化することができる。また、軽量化に伴い、材料コストの低減が可能である。
（１０）枠体５０の内側面は、第１の開口５６側から第２の開口５７側に向けて（即ち、出射光を照射する方向に向けて）広がるように傾斜している。これにより、ＬＥＤ基板１２０の周囲に枠体５０が存在しても、配光角が狭くならないにすることができる。
【００７４】
（１１）枠体５０の第２の開口５７を塞ぐ拡散部材７０を、枠体５０の外側から枠体５０に固定する固定部材８０を備える。拡散部材７０の平面視による形状は矩形である。固定部材８０は、拡散部材７０の長手方向（即ち、装置前後方向）に沿う側部に取り付けられる。固定部材８０は拡散部材７０の短手方向（即ち、装置左右方向）に沿う側部には取り付けられないので、拡散部材を枠体５０に容易に取り付けることができる。また、固定部材８０は拡散部材７０の短手方向に沿う側部には取り付けられないので、この短手方向に沿う側部から固定部材に遮られることなく、出射光を取り出すことができる。
【００７５】
（１２）また、固定部材８０の溝部８１に枠体５０の第１の側部（又は、第３の側部）が嵌め込まれると、第１の側部（又は、第３の側部）の突縁部が溝部８１の開口縁部に係止される。これにより、枠体５０から装置左右方向の外側へ固定部材８０が外れないようにすることができる。
（１３）また、第２の側部５２にストッパー部材８５を取り付けることによって、固定部材８０が装置前後方向へ移動しないようにすることができる。
【００７６】
＜変形例＞
図３７は、拡散部材７０の変形例を示す模式図である。図３７に示すように、拡散部材７０は、ＬＥＤ素子からの出射光を透過する部材で構成された光透過板７１と、出射光を拡散させつつ透過する部材で構成された拡散シート７２と、を有していてもよい。拡散シート７２は、光透過板７１のＬＥＤ基板と向かい合う第１の面、又は、この第１の面の裏側の第２の面の少なくとも一方に配置されてもよい。図３７は、拡散シート７２が光透過板７１の第２の面側に配置されている場合を例示している。このような構成であっても、上記の実施形態と同様、固定部材８０を用いて、光透過板７１及び拡散シート７２を枠体５０に固定することができる。
【００７７】
なお、拡散シート７２としは、配光角を広げるシート、配光角を狭めるシート、光源粒感を目立たなくするシート、配光方向をシフトさせるシートする（例えば、配光方向を右寄りにシフトさせるシート）、目視で煌めき感を感じさせるシート、消灯時に鏡面となるシートなどが例示される。
【００７８】
＜その他＞
本発明の技術的思想は、以上に記載した実施形態や変形例に特定されるものではない。当業者の知識に基づいて実施形態や変形例に設計の変更等を加えてもよく、また、実施形態や変形例を任意に組み合わせてもよく、そのような変更が加えられた態様も本発明の技術的思想に含まれる。
【符号の説明】
【００７９】
１  ＬＥＤ照明装置
２  器具本体
３  照明ユニット
５  バー
１０ａ  支持面
１０  支持板
１０ａ 支持面
１０ｂ 背面
１１   第１の側板
１１ｃ （第１の側板の）縁部
１２   第２の側板
１２ａ  （第２の側板の）内側面
１２ｂ  （第２の側板の）外側面
１２ｃ （第２の側板の）縁部
１３   第３の側板
１３ｃ（第３の側板の）縁部
１４   第４の側板
１４ａ （第４の側板の）内側面
１４ｂ （第４の側板の）外側面
１４ｃ （第４の側板の）縁部
１５、１６  爪部
１８、２５〜２７、３１、３２、３４、８６、１１５、１１６、１３３、１３５、２１５、３１７  貫通穴
１９、２１、２２、２８、２１３  挿通口
１９ａ、２８ａ、２１３ａ  第１の挿通口
１９ｂ、２８ｂ、２１３ｂ  第２の挿通口
２０  ライト受け金具２０
２３   電源端子台
２４   調光端子台
２９   通気口
３０   バーフック
３３、３５、８８、１３９、１４１  ネジ
４０   バネ金具
４１   バネ
４２   バネ支持部
４３   アーム部
５０   枠体
５１   第１の側部
５１ａ （第１の側部の）内側面
５１ｂ（第１の側部の）外側面
５２   第２の側部
５２ａ  （第２の側部の）内側面
５２ｂ  （第２の側部の）外側面
５３   第３の側部
５３ａ（第３の側部の）内側面
５３ｂ （第３の側部の）外側面
５４   第４の側部
５４ａ （第４の側部の）内側面
５４ｂ （第４の側部の）外側面
５５  突出片
５５ａ  第１の突出片
５５ｂ  第２の突出片
５６  第１の開口
５７  第２の開口
５８  空洞部
５９  連結片
６０  積層構造体
７０  拡散部材
７１   光透過板
７２   拡散シート
８０   固定部材
８０Ａ  第１の固定部材
８０Ｂ  第２の固定部材
８１  溝部
８３  押さえ部
８５  ストッパー部材
８５ａ、１１１ａ、１３１ａ、２１１ａ、３１１ａ  主面
８５ｂ、１１１ｂ、１３１ｂ、２１１ｂ、３１１ｂ  背面
８７  開口部
９０  電源ボックス
９５  バネ掛止具
１１０  ヒートシンク
１１１  支持部
１１３  （支持部の）側部
１２０ ＬＥＤ基板
１２１ 基板
１２３ ＬＥＤ素子
１３０  反射シート
１３１  基材
１３７ 押さえ部材
１４０ スポンジシート
１５１  （第１の側部の）突縁部
１５２  （第２の側部の）突縁部
１５３ 突縁部
１５５ 衝止部
２１１（ライト受け金具の）ベース部
２１７ ライト受け部
３１１ （Ｔバーフックの）ベース部
３１３   突出片
３１３ａ  第１の突出片
３１３ｂ  第２の突出片
３１５ 係合部
３１７ 貫通穴
【図１】
2017027792.tif 000003
【図２】
2017027792.tif 000004
【図３】
2017027792.tif 000005
【図４】
2017027792.tif 000006
【図５】
2017027792.tif 000007
【図６】
2017027792.tif 000008
【図７】
2017027792.tif 000009
【図８】
2017027792.tif 000010
【図９】
2017027792.tif 000011
【図１０】
2017027792.tif 000012
【図１１】
2017027792.tif 000013
【図１２】
2017027792.tif 000014
【図１３】
2017027792.tif 000015
【図１４】
2017027792.tif 000016
【図１５】
2017027792.tif 000017
【図１６】
2017027792.tif 000018
【図１７】
2017027792.tif 000019
【図１８】
2017027792.tif 000020
【図１９】
2017027792.tif 000021
【図２０】
2017027792.tif 000022
【図２１】
2017027792.tif 000023
【図２２】
2017027792.tif 000024
【図２３】
2017027792.tif 000025
【図２４】
2017027792.tif 000026
【図２５】
2017027792.tif 000027
【図２６】
2017027792.tif 000028
【図２７】
2017027792.tif 000029
【図２８】
2017027792.tif 000030
【図２９】
2017027792.tif 000031
【図３０】
2017027792.tif 000032
【図３１】
2017027792.tif 000033
【図３２】
2017027792.tif 000034
【図３３】
2017027792.tif 000035
【図３４】
2017027792.tif 000036
【図３５】
2017027792.tif 000037
【図３６】
2017027792.tif 000038
【図３７】
2017027792.tif 000039